(57)【要約】【課題】デジタル放送記録再生装置において、録画コンテンツの管理及び視聴に要するユーザの負担を削減する手段を提供する。【解決手段】フォルダ管理機能とフォルダ毎の録画番組情報ＤＢの記録領域を持つデジタル放送記録再生装置１００において、ユーザの予約録画設定時に、予約録画対象の番組情報１０５と、録画番組情報ＤＢ１０３に記録されたフォルダ毎の格納録画コンテンツ傾向を元に予約実行番組とフォルダ毎の適合度をフォルダ毎録画傾向抽出部１０２で算出し、適合度最大のフォルダを録画番組格納フォルダ群１０１の格納先フォルダとして自動設定することで、煩わしいフォルダ管理操作を簡略化する。【選択図】図１
2012009914.tif 000002
【特許請求の範囲】
【請求項１】
デジタル放送信号を記録するデジタル放送記録再生装置において、
記録した番組をフォルダ群のフォルダ毎に格納する管理機能と、前記フォルダ毎に格納された録画番組の傾向を抽出するフォルダ毎録画傾向抽出部と、抽出結果を記録するフォルダ毎録画番組傾向蓄積テーブルと、前記フォルダ毎録画番組傾向蓄積テーブルと録画対象番組情報を用いてユーザに適合する格納フォルダを自動的に選定する録画先フォルダ自動選定部と、前記被選定フォルダを録画番組格納に自動的に設定する録画フォルダ設定制御部と、を備えることを特徴とするデジタル放送記録再生装置。
【請求項２】
デジタル放送信号を記録するデジタル放送記録再生装置において、
記録した番組をフォルダ群のフォルダ毎に格納する管理機能と、前記フォルダ毎に格納された録画番組の傾向を抽出するフォルダ毎録画傾向抽出部と、抽出結果を記録するフォルダ毎録画番組傾向蓄積テーブルと、前記テーブルと録画対象番組情報を用いてユーザに最適な格納フォルダを自動的に選定する録画先フォルダ自動選定部と、前記被選定フォルダを録画番組格納に自動的に設定する録画フォルダ設定制御部と、録画番組へのショートカットを作成する条件を満たす格納フォルダを判定するショートカット判定部と、前記判定を満たす格納フォルダへ録画番組へのショートカットを作成するショートカット作成部と、を備えることを特徴とするデジタル放送記録再生装置。
【発明の詳細な説明】
【技術分野】
【０００１】
本発明は、記録媒体にデジタル放送などのコンテンツの記録または再生を行うデジタル放送記録再生装置に関するものである。
【背景技術】
【０００２】
近年、ＨＤＤ（Hard Disc Drive）等を記録媒体としたデジタル放送記録再生装置が普及してきている。これらに用いられ得る記録媒体は、大容量化が進んでおり、１台のデジタル放送記録再生装置には多くの録画した番組コンテンツが保存されるようになってきた。これに伴い、ユーザが録画した番組コンテンツの中から所望の番組コンテンツを探して再生するための手間が増大している。
【０００３】
この問題を解決するための方法として、下記特許文献１が開示されている。下記特許文献１によれば、録画予約するコンテンツの番組情報を元に、録画日時の異なる同一の番組コンテンツが有る場合は録画フォルダ下にサブフォルダを作成し、そのサブフォルダに関連付けて記録するようにしている。
【先行技術文献】
【特許文献】
【０００４】
【特許文献１】特開２００４−３４８８０７号公報
【発明の概要】
【発明が解決しようとする課題】
【０００５】
デジタル放送記録再生装置は、例えばリビングルームなどに設置して複数人で共有して使用する場合も多い（以下、使用する人をユーザという）。このとき、録画した番組コンテンツを再生するユーザは、主にその番組コンテンツを録画予約したユーザである場合が多い。
【０００６】
上記特許文献１で開示された方法では、録画予約したユーザに関係なく、番組コンテンツの管理は番組コンテンツの番組情報に基づいて行われるため、前記条件に合致する番組コンテンツは録画予約したユーザを問わず全て同一の前記録画フォルダに格納される。
【０００７】
ゆえに、ユーザが番組コンテンツを再生する際に、録画済み番組コンテンツを一覧表示させると、他ユーザが録画した番組コンテンツも一緒に表示されるため、所望の番組コンテンツを見つけるのに手間がかかってしまう。この課題を解決するためにはユーザ毎にフォルダを作成し、そこに保存していけば良いが、録画時に自分のフォルダを選ばなければならないという手間がかかってしまう。
【０００８】
本発明の目的は、録画予約設定の際に、ユーザごとにフォルダを分けて保存することで、録画予約した番組コンテンツを見つけやすくし、使い勝手の良いデジタル放送記録再生装置を提供することである。
【課題を解決するための手段】
【０００９】
本発明では、デジタル放送受信機器の内部もしくは外部に記録媒体（ＯＮ  ＢＯＲＡＤ  ＦＬＡＳＨ、ＨＤＤ、ＳＤカード等）を備え、その領域内にユーザ毎に使用するフォルダ及びユーザ毎のフォルダ内に記録された録画済み番組の傾向を抽出し格納する記憶領域を設ける。初回のユーザの予約録画設定時に、ＯＳＤによるインターフェースを通じてユーザ専用フォルダを作成させ、録画番組を格納する。
【００１０】
そして、以降のユーザの予約録画設定時に、予約録画対象の番組情報と、ユーザ毎の専用フォルダに蓄積された録画済み番組情報に基づいて抽出される傾向の適合度を算出し、適合度最大のフォルダを録画番組格納フォルダとして自動設定することを主要な特徴とする。
【００１１】
本発明のデジタル放送記録再生装置は、デジタル放送信号を記録するデジタル放送記録再生装置において、記録した番組をフォルダ群のフォルダ毎に格納する管理機能と、前記フォルダ毎に格納された録画番組の傾向を抽出するフォルダ毎録画傾向抽出部と、抽出結果を記録するフォルダ毎録画番組傾向蓄積テーブルと、前記フォルダ毎録画番組傾向蓄積テーブルと録画対象番組情報を用いてユーザに適合する格納フォルダを自動的に選定する録画先フォルダ自動選定部と、前記被選定フォルダを録画番組格納に自動的に設定する録画フォルダ設定制御部と、を備えることを特徴とする。
【００１２】
また、本発明のデジタル放送記録再生装置は、デジタル放送信号を記録するデジタル放送記録再生装置であって、記録した番組をフォルダ群のフォルダ毎に格納する管理機能と、前記フォルダ毎に格納された録画番組の傾向を抽出するフォルダ毎録画傾向抽出部と、抽出結果を記録するフォルダ毎録画番組傾向蓄積テーブルと、前記テーブルと録画対象番組情報を用いてユーザに最適な格納フォルダを自動的に選定する録画先フォルダ自動選定部と、前記被選定フォルダを録画番組格納に自動的に設定する録画フォルダ設定制御部と、録画番組へのショートカットを作成する条件を満たす格納フォルダを判定するショートカット判定部と、前記判定を満たす格納フォルダへ録画番組へのショートカットを作成するショートカット作成部と、を備えることを特徴とする。
【発明の効果】
【００１３】
本発明のデジタル放送記録再生装置では、ユーザへの煩雑な設定操作の強要や、複数のリモコン等の機器の追加なしに予約録画設定実行中のユーザが使用するフォルダを特定する機能を実現する。
【００１４】
この機能により、複数のユーザが利用するデジタル放送記録再生装置においても、ユーザに手動操作を行わせること無く予約録画設定時毎にユーザに適合したフォルダの自動設定が可能となり、録画コンテンツの管理及び視聴の際に必要となる手動操作のユーザ負担を削減することができる。
【図面の簡単な説明】
【００１５】
【図１】図１は本発明の実施例１のデジタル放送記録再生装置のシステム構成図である。
【図２】図２は録画フォルダに自動設定する手順を示すフローチャートである。
【図３】図３はフォルダ毎録画番組傾向蓄積テーブルへ格納する処理手順を示すフローチャートである。
【図４】図４はフォルダ毎録画番組傾向蓄積テーブルを示す図である。
【図５】図５は録画フォルダ設定処理の処理手順を示すフローチャートである。
【図６】図６は実施例２のデジタル放送記録再生装置のシステム構成図である。
【図７】図７は録画フォルダを自動設定し、予約設定する処理手順を示すフローチャートである。
【図８】図８はショートカットを作成する処理手順を示すフローチャートである。
【図９】図９はショートカット作成対象フォルダを判定する処理手順を示すフローチャートである。
【発明を実施するための形態】
【００１６】
以下、本発明の実施の形態について図面を参照して説明する。
【実施例１】
【００１７】
図１は本発明の実施例のデジタル放送記録再生装置のシステム構成図である。図１においては、１００はデジタル放送記録再生装置であり、１０１はユーザの録画した番組コンテンツを格納する録画番組格納フォルダ群であり、録画番組格納フォルダ郡１０１には、複数のフォルダを作成することが出来るようになっている。
【００１８】
本発明のデジタル放送記録再生装置１００においては、ユーザ毎にフォルダを作成して、録画予約を実行したユーザを判別し、そのユーザに対応するフォルダに番組コンテンツを格納するようにしている。１０２は前述録画番組格納フォルダ群１０１内に格納された番組コンテンツの番組情報を入力としてフォルダ毎の録画番組情報の傾向を抽出するフォルダ毎録画傾向抽出部である。１０３は前述フォルダ毎録画傾向抽出部１０２の抽出結果を格納するフォルダ毎録画番組傾向蓄積テーブルである。
【００１９】
録画番組格納フォルダ群１０１、フォルダ毎録画番組傾向蓄積テーブル１０３は、いずれも記録部１１７に格納されている。１０４は、録画番組格納フォルダ群１０１内の各フォルダの中から、予約録画を実行したユーザに適合するフォルダを自動的に選定する録画フォルダ自動選定部、１０５は予約録画実行ユーザの予約対象番組情報、１０６は予約録画設定時に番組コンテンツを格納するフォルダを設定する録画フォルダ設定制御部、１０８は録画番組格納フォルダ群１０１内にフォルダを作成するフォルダ作成部、１０９は放送波を受信するチューナ、１０７は前述チューナ１０９で受信した放送波からＥＰＧデータを生成するＥＰＧデータ生成部である。
【００２０】
１１８はマイコンであり、フォルダ毎録画傾向抽出部１０２、録画フォルダ自動選定部１０４、録画フォルダ設定制御部１０６、ＥＰＧデータ生成部１０７、フォルダ作西部１０８より構成される。
【００２１】
１１０はユーザの操作を受信するユーザ操作受信部、１１２は前述チューナ１０９で受信した放送波から番組ストリームを取得するストリーム取得部、１１１は前述ストリーム取得部１１２より取得した番組ストリームを番組コンテンツとして前述録画番組格納フォルダ群１０１内のフォルダに録画し、または、録画番組格納フォルダ群１０１内のフォルダより録画済の番組コンテンツを取り出し再生する録画再生実行部、１１４は番組コンテンツから映像を生成する映像生成部、１１３は前述録画フォルダ設定制御部１０６の提示するフォルダ名などのＯＳＤを生成するＯＳＤ生成部、１１５は前述映像生成部１１４とＯＳＤ生成部１１３を一つの映像に合成する映像合成部である。
【００２２】
１１６は、テレビ、モニタなどの表示装置であり、デジタル放送記録再生装置１００と接続することにより、映像合成部１１５の出力結果を表示する。１１９はユーザが操作するリモコンである。なお、上記では表示装置１１６とデジタル放送記録再生装置１００は別体で構成されているが、一体でも構わない。
【００２３】
次に、本実施例の動作について説明する。まず、ユーザが予約録画設定を実行した際に、録画番組格納フォルダ群１０１内のフォルダを録画フォルダに自動設定する手順を図２に示すフローチャートに沿って示す。
【００２４】
ユーザがリモコン１１９によって予約録画の操作を実行した場合、リモコン１１９は、予約録画設定実行信号を送信する。本処理は、ユーザ操作受信部１１０がリモコン１１９からの予約録画設定実行信号を検知した際に、以下の手順で処理を開始する。
【００２５】
まず、Ｓ２０１では、前述録画番組格納フォルダ群１０１内にフォルダが既に１つ以上作成されているかどうかの判定を行う。１つも作成されていなければ次のＳ２０２へ、１つ以上作成されていればＳ２０５へ進む。
【００２６】
Ｓ２０２では、前述録画フォルダ設定制御部１０６が、前述ＯＳＤ生成部１１３及び前述映像合成部１１５を通じて、前述表示装置１１６に必ずフォルダを一つ作成するためのＧＵＩを表示する。ユーザが前述ユーザ操作受信部１１０を通じてフォルダ作成に必要な入力を完了後、Ｓ２０３へ進む。
【００２７】
Ｓ２０３では、Ｓ２０２での入力を元に前述フォルダ作成部１０８にて前述録画番組格納フォルダ群１０１内にフォルダの作成を行う。このように強制的にフォルダの作成を実行することで、本発明の実施に不可欠な録画番組を格納するフォルダが存在しない状況を防止することが出来る。
【００２８】
Ｓ２０４では、Ｓ２０３で作成したフォルダを、前述録画フォルダ設定制御部１０６が、本予約録画設定によって録画する番組コンテンツの格納先のフォルダ（以下、録画フォルダという）に自動的に設定する。設定後、Ｓ２０８へ移動する。
【００２９】
Ｓ２０５では、前述録画フォルダ設定制御部１０６において、前述ＥＰＧデータ生成部１０７で生成したＥＰＧデータから、前述予約対象番組情報１０５を取得する。本実施例では番組ジャンル情報を取得する。
【００３０】
Ｓ２０６では録画傾向抽出処理を行い、Ｓ２０７では録画フォルダ設定処理を行う。Ｓ２０６の録画傾向抽出処理、Ｓ２０７の録画フォルダ設定処理の詳細については後述する。
【００３１】
Ｓ２０８では、Ｓ２０４若しくはＳ２０６で設定した内容を元に、予約設定を完了する。以上の処理により、予約録画設定実行ユーザに適合する録画フォルダを自動設定する機能を実現する。
【００３２】
次に、前述Ｓ２０６の録画傾向抽出処理にて行われる、録画番組格納フォルダ群１０１内のフォルダ毎の録画番組傾向を抽出し、フォルダ毎録画番組傾向蓄積テーブル１０３へ格納する処理手順を図３のフローチャートに沿って説明する。
【００３３】
本実施例では、録画番組格納フォルダ群１０１内のフォルダとして、「父フォルダ」「母フォルダ」「息子フォルダ」「娘フォルダ」が作成されているものとする。また、前述予約対象番組情報１０５である前述番組ジャンル情報には、「スポーツ」「ニュース」「音楽」「ドラマ」「アニメ」があるとする。
【００３４】
本処理は前述フォルダ毎録画傾向抽出部１０２にて実行する。Ｓ３０１では、録画番組格納フォルダ群１０１内のフォルダのうち、父フォルダに格納されている録画済番組コンテンツ数Ｎ（父）を取得する。
【００３５】
Ｓ３０２では、録画済番組コンテンツの番組情報を元に、ジャンル毎の録画済番組コンテンツ数を取得する。本実施例では、録画済番組コンテンツ数としてＮ（父：スポーツ）、Ｎ（父：ニュース）、Ｎ（父：音楽）、Ｎ（父：ドラマ）、Ｎ（父：アニメ）を取得する。Ｎ（父：スポーツ）、Ｎ（父：ニュース）、Ｎ（父：音楽）、Ｎ（父：ドラマ）、Ｎ（父：アニメ）の総和はＮ（父）となる。
【００３６】
Ｓ３０３では、全録画済番組コンテンツにおける各ジャンルの割合、つまり録画番組傾向を算出する。本実施例では、Ｎ（父：スポーツ）／Ｎ（父）、Ｎ（父：ニュース）／Ｎ（父）、Ｎ（父：音楽）／Ｎ（父）、Ｎ（父：ドラマ）／Ｎ（父）、Ｎ（父：アニメ）／Ｎ（父）を取得する。これら５つの録画番組傾向の総和は１となる。
【００３７】
Ｓ３０４では、Ｓ３０３で算出した録画番組傾向を前述フォルダ毎録画番組傾向蓄積テーブル１０３へ格納する。
【００３８】
Ｓ３０５では、Ｓ３０１〜Ｓ３０４の処理を全録画番組格納フォルダに対して実行したかどうかを判定する。実行している場合、本処理を完了する。実行していない場合、Ｓ３０１に移動し、未処理のフォルダに対して処理を実行する。本実施例では、残りの母フォルダ、息子フォルダ、娘フォルダにもＳ３０１〜Ｓ３０４の処理を実行し、本処理を完了する。
【００３９】
図４は本実施例におけるフォルダ毎録画番組傾向蓄積テーブル１０３である。フォルダ毎録画番組傾向蓄積テーブル１０３は上記録画傾向抽出処理にて算出した録画番組傾向の集合で構成される。
【００４０】
本図は、フォルダ数４、ジャンル数５である場合のフォルダ毎録画番組傾向蓄積テーブル１０３を示している。
【００４１】
次に、前述Ｓ２０７で示した、録画フォルダ設定処理の処理手順について、図５のフローチャートに沿って説明する。
【００４２】
Ｓ５０１では、Ｓ２０５にて取得した予約対象番組情報１０５よりジャンル情報を取得する。ここでは例として、予約対象番組情報１０５のジャンル情報がドラマである場合について説明する。
【００４３】
Ｓ５０２では、前述フォルダ毎録画番組傾向蓄積テーブル１０３内の父フォルダの録画番組傾向を参照する。
【００４４】
Ｓ５０３では、父フォルダの録画番組傾向から、Ｓ５０１にて取得したジャンル情報のドラマに対応する項目に格納された値Ｎ（父：ドラマ）／Ｎ（父）を取得する。
【００４５】
Ｓ５０４では、Ｓ５０３で取得した値Ｎ（父：ドラマ）／Ｎ（父）を対象フォルダである父フォルダの適合度Ｍ（父）に設定する。
【００４６】
Ｓ５０５では、Ｓ５０２〜Ｓ５０４の処理を全フォルダ分、本実施例では母フォルダ、息子フォルダ、娘フォルダに対しても実行したかどうかを判定する。未実行のフォルダがあればＳ５０２に移動し、同様の処理を繰り返すことで、各フォルダの適合度Ｍ（母）、Ｍ（息子）、Ｍ（娘）を取得する。Ｓ５０５にて、全フォルダについて完了している場合はＳ５０６に進む。
【００４７】
Ｓ５０６では、これまでの処理で取得したフォルダ毎の適合度Ｍ（父）、Ｍ（母）、Ｍ（息子）、Ｍ（娘）を比較し、最大値となる最大適合度Ｍｍａｘを決定する。
【００４８】
Ｓ５０７では、Ｍｍａｘに対応するフォルダを録画フォルダに決定する。例えば、娘フォルダの適合度Ｍ（娘）が最大であれば、Ｍｍａｘ＝Ｍ（娘）であり、娘フォルダが録画フォルダとなる。
【００４９】
本実施例においては、説明のため、適合度算出項目が一つであるが、実際は複数の適合度算出項目を設定することで、Ｍｍａｘに対応するフォルダが予約録画ユーザの使用するフォルダと一致する精度を高くすることが出来る。
【００５０】
また、フォルダに格納されている録画済コンテンツが少なく一致精度が低くなる場合に、予約録画ユーザのフォルダと異なるフォルダを録画フォルダに決定することが考えられる。そのため、前述Ｓ２０８の予約設定確定処理時に予約設定の確認のためのＯＳＤを表示し、設定されている録画フォルダをユーザの意思で変更可能にすることで、この問題を回避する。
【００５１】
なお、以上の処理手順は適合度算出項目が１種類である場合の例であり、適合度算出項目数は本システム開発者の判断により適宜追加変更できることは言うまでもなく、その場合、適合度Ｍは項目毎の傾向を示す値の総和となる。
【００５２】
例えば、適合度算出に用いる項目として録画済番組コンテンツの放送時間の傾向を追加する場合、フォルダ毎録画番組傾向蓄積テーブルの構成に時間帯毎の分布率が追加され、Ｓ３０３〜Ｓ３０４と同等の処理がＳ３０５の判定の前に追加される。
【００５３】
そして、Ｓ５０１で取得する情報に番組コンテンツの時間帯が追加され、Ｓ５０３ではフォルダ毎のジャンル情報に加えフォルダ毎の録画済番組コンテンツの時間帯毎の分布率に対応する項目に格納された値を取得し、Ｓ５０４で算出する適合度ＭはＳ５０３で取得した２つの値の総和となる。
【００５４】
また、上記録画傾向抽出処理を、ユーザが予約録画の操作を実行した時に行っているが、予約録画実行処理以外の時に行っても良く、実行条件や実行周期の設定における制限は特に無い。
【００５５】
本実施例の効果は、以下である。
（１）録画番組格納フォルダ群１０１内にフォルダが無い場合にフォルダ作成のためのＧＵＩを表示し、フォルダ作成を実行することで、別途ユーザが録画番組格納フォルダ作成を能動的に実行する負荷を削減し、本実施例の実行を可能とする。
【００５６】
（２）ユーザが録画予約設定のために予約録画対象番組を選択するだけで、その予約設定を行ったユーザを特定し、そのユーザに適合するフォルダを自動設定するため、ユーザ自身が手動で録画番組格納フォルダ群１０１内の複数の作成済みフォルダの中から自分のフォルダを選択するために要する負担を削減することが出来る。
【００５７】
（３）上記の通り予約録画を行ったユーザを特定して、そのユーザに適合するフォルダに番組コンテンツが格納されるため、ユーザが録画済み番組コンテンツの視聴を行う際に、様々なフォルダから所望のコンテンツを探さなければならないという事態を防止でき、管理・視聴に要する負担を削減することができる。
【実施例２】
【００５８】
次に、実施例２について説明する。本実施例では、最大適合度により録画フォルダには選定されなかったが、後述する所定の条件を満たす適合度を持つフォルダの中に、録画済番組コンテンツを再生するためのショートカットを作成する。
【００５９】
図６は、本発明の実施例２のデジタル放送記録再生装置１００’のシステム構成図である。図６においては、６０１は録画される番組コンテンツへのショートカットを作成の判定を行うショートカット判定部、６０２は録画番組格納フォルダ群１０１内のフォルダに、録画済番組コンテンツへのショートカットを作成するショートカット作成部である。ショートカット判定部６０１、ショートカット作成部６０２はいずれもマイコン１１８’に搭載されている。
【００６０】
なお、本実施例においても、録画番組格納フォルダ群１０１内のフォルダとして、「父フォルダ」「母フォルダ」「息子フォルダ」「娘フォルダ」が作成されており、前述予約対象番組情報１０５である前述ジャンル情報には、「スポーツ」「ニュース」「音楽」「ドラマ」「アニメ」があるとする。よって、本実施例におけるフォルダ毎録画番組傾向蓄積テーブル１０３も実施例１と同一（図４）である。
【００６１】
次に、本実施例の動作について図７のフローチャートに沿って説明する。本処理は、実施例１のデジタル放送記録再生装置と同様に、ユーザがリモコン１１９によって、予約録画の操作を実行した場合、リモコン１１９は、予約録画設定実行信号を送信する。ユーザ操作受信部１１０は、リモコン１１９からの予約録画設定実行信号を検地した際に、以下の手順で処理を開始する。
【００６２】
まず、Ｓ７０１では、前述録画番組格納フォルダ群１０１内にフォルダが既に１つ以上作成されているかどうかの判定を行う。１つも作成されていなければ次のＳ７０２へ、１つ以上作成されていればＳ７０５へ進む。
【００６３】
Ｓ７０２では、前述録画フォルダ設定制御部１０６が、前述ＯＳＤ生成部１１３及び前述映像合成部１１５を通じて、前述表示装置１１６にフォルダを作成するためのＧＵＩを表示する。ユーザが前述ユーザ操作受信部１１０を通じてフォルダ作成に必要な入力を完了後、Ｓ７０３へ進む。
【００６４】
Ｓ７０３では、Ｓ７０２での入力を元に前述フォルダ作成部１０８にて前述録画番組格納フォルダ群１０１内にフォルダの作成を行う。このように強制的にフォルダの作成を実行することで、本発明の実施に不可欠な録画番組を格納するフォルダが存在しない状況を防止することが出来る。
【００６５】
Ｓ７０４では、Ｓ７０３で作成したフォルダを、前述録画フォルダ設定制御部１０６が、本予約録画設定によって録画する番組コンテンツの録画フォルダに自動的に設定する。設定後、Ｓ７１０へ移動する。
【００６６】
以上のように、録画番組格納フォルダ群１０１内にフォルダが存在しない場合の処理は、第１実施例のデジタル放送記録再生装置１００と同様の処理を行う。
【００６７】
Ｓ７０５では、前述録画フォルダ設定制御部１０６において、前述ＥＰＧデータ生成部１０７で生成したＥＰＧデータから、前述予約対象番組情報１０５を取得する。本実施例では実施例１と同様に番組ジャンル情報を取得する。
【００６８】
Ｓ７０６では録画傾向抽出処理を行い、Ｓ７０７では、録画フォルダ設定処理を行う。Ｓ７０６の録画傾向抽出処理、Ｓ７０７の録画フォルダ設定処理については実施例１と同様であるため、詳細な説明は省略する。
【００６９】
Ｓ７０８では、前述ショートカット判定部６０１にて、Ｓ７０７の録画フォルダ設定処理時に用いた適合度を用いて、適合度が最大の録画フォルダを除く全フォルダに対して、録画予約する番組コンテンツに対するショートカット作成条件を満たしているか否かの判定を行う。判定方法の詳細は後述する。
【００７０】
Ｓ７０９では、Ｓ７０８においてショートカット作成の対象フォルダと判定されたフォルダ（以下、ショートカットフォルダという）を、録画する番組コンテンツへのショートカットを作成するショートカットフォルダとして、ショートカット作成設定情報を設定する。設定後、Ｓ７１０へ移動する。
【００７１】
Ｓ７１０では、Ｓ７０４若しくはＳ７０７及びＳ７０９で設定した内容を元に、録画予約設定を完了する。
【００７２】
次に、上記録画予約設定によって行われた予約録画の終了時の処理について、図８のフローチャートに沿って説明する。上記録画予約設定によって行われた予約録画が終了すると、処理を開始し、Ｓ８０１に進む。
【００７３】
まず、Ｓ８０１では、番組コンテンツが正常に録画されたかの判定を行う。正常に録画されていればＳ８０２へ、正常に録画されていなければ本処理を終了する。
【００７４】
Ｓ８０２では、前述Ｓ７０７で設定された録画フォルダに番組コンテンツを格納する。
Ｓ８０３では、録画予約設定時のＳ７０９で設定したショートカット作成設定情報を取得する。
【００７５】
Ｓ８０４では、Ｓ８０３で取得したショートカット作成設定情報を元に、ショートカットフォルダ内に、Ｓ８０２で格納した番組コンテンツへのショートカットを作成する。作成完了後、本処理を完了する。
【００７６】
以上の処理により、適合度が最大である録画フォルダには選定されなかったが条件を満たす適合度を持つフォルダの中に、録画番組コンテンツを再生するためのショートカットを作成する機能を実現する。
【００７７】
次に、前述Ｓ７０８で実行する、ショートカット作成対象判定の処理について、図９のフローチャートに沿って説明する。なお、本実施例でも、ジャンルが「ドラマ」の番組を録画するものとする。
【００７８】
また、適合度は各フォルダの録画番組傾向から算出した値であるため、適合度が高いフォルダのユーザは、予約録画する番組コンテンツの視聴を所望する可能性が高いユーザであると言える。そこで、本実施例のショートカット作成条件を適合度Ｍ＝０．３以上とする。
【００７９】
ここで、前述Ｓ７０７で算出した、各フォルダの適合度が、それぞれＭ（父）＝０．１、Ｍ（母）＝０．４、Ｍ（息子）＝０．２５、Ｍ（娘）＝０．７の場合について説明する。Ｓ９０１では、前述Ｓ７０７で算出した各フォルダの適合度を取得し、Ｓ９０２へ進む。本実施例においては、Ｍ（父）、Ｍ（母）、Ｍ（息子）、Ｍ（娘）を取得する。Ｓ９０２からＳ９０５の処理は取得した適合度毎に行う。
【００８０】
Ｓ９０２では、Ｓ９０１で取得した適合度が最大適合度Ｍｍａｘであるかどうかの判定を行う。最大適合度であればＳ９０５へ進み、最大適合度でなければＳ９０３へ進む。本実施例においては、適合度が最大であるＭ（娘）の場合はＳ９０５へ進み、それ以外の適合度の場合はＳ９０３へ進む。
【００８１】
Ｓ９０３では、各適合度がショートカット作成条件を満たしているかどうかの判定を行う。ショートカット作成条件を満たしていればＳ９０４へ、満たしていなければＳ９０５へ進む。本実施例におけるショートカット作成条件は適合度Ｍ＝０．３以上であるため、０．３よりも小さいＭ（父）及びＭ（息子）の場合はＳ９０５へ進み、０．４であるＭ（母）はＳ９０４へ進む。
【００８２】
Ｓ９０４では、Ｓ９０３で判定に用いた適合度を持つフォルダを、ショートカットフォルダに設定する。設定後、Ｓ９０５へ進む。本実施例においては、母フォルダがショートカットフォルダに設定される。
【００８３】
Ｓ９０５では、Ｓ９０１で取得した全適合度に対してＳ９０２からＳ９０５の処理を実行したかどうかの判定を行う。Ｓ９０２からＳ９０５の処理が全適合度に対して実行していなければＳ９０２に進み、実行していれば、本処理を完了する。
なお、以上で述べたショートカット作成条件は一例であり、本システム開発者の判断により、条件の項目や値は適宜追加変更できることは言うまでもない。
【００８４】
また、ショートカット作成条件設定用ＧＵＩを用意することで、本デジタル放送記録再生装置のユーザがショートカット作成条件を設定することも可能である。
【００８５】
本実施例の効果は、以下である。
（１）録画番組格納フォルダ群１０１内にフォルダが無い場合にフォルダ作成のためのＧＵＩを表示し、フォルダ作成を実行することで、別途ユーザが録画番組格納フォルダ作成を能動的に実行する負荷を削減し、本実施例の実行を可能とする。
【００８６】
（２）ユーザが録画予約設定のために予約録画対象番組を選択するだけで、その予約設定を行ったユーザを特定し、そのユーザに適合するフォルダを自動設定するため、ユーザ自身が手動で録画番組格納フォルダ群１０１内の複数の作成済みフォルダの中から自分のフォルダを選択するために要する負担を削減することが出来る。
【００８７】
（３）上記の通り予約録画を行ったユーザを特定して、そのユーザに適合するフォルダに番組コンテンツが格納されるため、ユーザが録画済み番組コンテンツの視聴を行う際に、様々なフォルダから所望のコンテンツを探さなければならないという事態を防止でき、管理・視聴に要する負担を削減することができる。
【００８８】
（４）録画した番組コンテンツの視聴を所望するユーザが、予約録画を行ったユーザ意外に存在する場合に、その番組コンテンツが予約録画を行ったユーザ以外のユーザのフォルダにも、番組コンテンツのショートカットが作成されるため、自分のフォルダ内のショートカットから番組コンテンツを視聴できるため、視聴を所望する全ユーザの録画コンテンツの管理・視聴に要する負担を削減することができる。
【符号の説明】
【００８９】
１００  デジタル放送記録再生装置
１０１  録画番組格納フォルダ群
１０２  フォルダ毎録画傾向抽出部
１０３  フォルダ毎録画番組傾向蓄積テーブル
１０４  録画フォルダ自動選定部
１０５  予約対象番組情報
１０６  録画フォルダ設定制御部
１０７  ＥＰＧデータ生成部
１０８  フォルダ作成部
１０９  チューナ
１１０  ユーザ操作受信部
１１１  録画再生実行部
１１２  ストリーム取得部
１１３  ＯＳＤ生成部
１１４  映像生成部
１１５  映像合成部
１１６  表示装置
１１７  記録部
１１８  マイコン
１１９  リモコン
６０１  ショートカット判定部
６０２  ショートカット作成部
【図１】
2012009914.tif 000003
【図２】
2012009914.tif 000004
【図３】
2012009914.tif 000005
【図４】
2012009914.tif 000006
【図５】
2012009914.tif 000007
【図６】
2012009914.tif 000008
【図７】
2012009914.tif 000009
【図８】
2012009914.tif 000010
【図９】
2012009914.tif 000011